(57)【要約】【課題】  ユーザ端末で撮影した画像から証明写真を簡単に得ることが可能な画像プリントシステム及び写真プリント装置等を提供する。【解決手段】  ユーザ端末５とサーバ３と写真プリント装置２とがネットワーク６を介して通信接続された画像プリントシステム１において、ユーザはユーザ端末５から画像をサーバ３に送信（アップロード）する。サーバ３はユーザ端末５から送信された画像を受信して記憶し、写真プリント装置２からの要求に応じて記憶手段に記憶された画像を要求元の写真プリント装置に送信する。写真プリント装置２は、サーバ３にアップロードされた画像をサーバ３からダウンロードし、ユーザが選択した用途やサイズに応じた証明写真を生成し、プリントする。【選択図】図８
2019139496.tif 000002
【特許請求の範囲】
【請求項１】
撮影室内の被写体を撮影し、写真としてプリントする写真プリント装置と、ユーザ端末と、サーバとがネットワークを介して通信接続された画像プリントシステムであって、
前記ユーザ端末は、画像を前記サーバに送信する送信手段を備え、
前記サーバは、
前記ユーザ端末から送信された前記画像を受信する受信手段と、
受信した画像を記憶する記憶手段と、
前記写真プリント装置からの要求に応じて前記記憶手段に記憶された画像を要求元の写真プリント装置に送信する送信手段と、を備え、
前記写真プリント装置は、
ネットワークを介して前記サーバに通信接続し、画像をダウンロードする通信手段と、
ダウンロードされた画像から証明写真を生成する証明写真生成手段と、
前記証明写真生成手段により生成された証明写真をプリントする印刷手段と、
を備えることを特徴とする画像プリントシステム。
【請求項２】
前記証明写真生成手段は、
前記ダウンロードされた画像に含まれる顔の位置及びサイズが予め定められた所定の位置及びサイズとなるように調整することを特徴とする請求項１に記載の画像プリントシステム。
【請求項３】
前記証明写真生成手段は、
前記ダウンロードされた画像から顔として切り出す範囲をユーザが指定するための操作手段を更に備えることを特徴とする請求項２に記載の画像プリントシステム。
【請求項４】
前記写真プリント装置は、
証明写真の種類の選択を受け付ける選択手段と、
少なくとも前記証明写真のサイズ、顔のサイズ、及び顔の位置に関する情報を定義した設定情報を証明写真の種類毎に記憶する設定情報記憶手段と、を備え、
前記証明写真生成手段は、前記選択手段によりユーザが選択した種類に応じた前記設定情報に従って、前記ダウンロードされた画像のトリミング、拡大、縮小を行うことを特徴とする請求項２または請求項３に記載の画像プリントシステム。
【請求項５】
前記写真プリント装置は、
前記ダウンロードされた画像の肌の色を調整する肌色調整手段を更に備えることを特徴とする請求項１から請求項４のいずれかに記載の画像プリントシステム。
【請求項６】
前記写真プリント装置は、
前記ダウンロードされた画像について、背景の合成処理を行う背景合成手段を更に備えることを特徴とする請求項１から請求項５のいずれかに記載の画像プリントシステム。
【請求項７】
撮影室内の被写体を撮影し、写真としてプリントする写真プリント装置であって、
ネットワークを介して通信接続されたサーバから画像をダウンロードする通信手段と、
ダウンロードされた画像から証明写真を生成する証明写真生成手段と、
前記証明写真生成手段により生成された証明写真をプリントする印刷手段と、
を備えることを特徴とする写真プリント装置。
【発明の詳細な説明】
【技術分野】
【０００１】
本発明は、画像プリントシステム、及び写真プリント装置に関し、詳細には、写真プリント装置を用いた証明写真の生成・プリントに関する。
【背景技術】
【０００２】
従来より、撮影ボックス内の被写体を撮影し、撮影した画像を証明写真として使いやすいレイアウトで割付け、印刷する証明写真プリント装置が知られている。また、特許文献１には、カメラ付き通信装置(ユーザ端末)からサーバに送信された画像データを証明写真プリント装置でプリントできるプリントシステムが記載されている。特許文献１のプリントシステムは、ユーザ端末で設定したプリント条件を画像とともにサーバに送信すると、サーバがプリント条件に基づいて画像処理（画像の圧縮、伸長等）を行って出力画像を完成させ、証明写真プリント装置では、その完成した画像をサーバからダウンロードしてプリントすることで、証明写真プリント装置側の負荷を減らし、かつ顧客の回転率を向上できるというものである。
【先行技術文献】
【特許文献】
【０００３】
【特許文献１】特開２００４−２４０７３７号公報
【発明の概要】
【発明が解決しようとする課題】
【０００４】
しかしながら、特許文献１のプリントシステムでは、予めユーザ端末でプリント条件を設定してサーバに送信しておく必要があり、外出先に急に証明写真プリント装置に立ち寄って証明写真をプリントする場合等には不向きであった。また、サーバ側で画像処理を行うため、多数のユーザからのアクセスが集中した場合にはサーバの負担が大きくなるという問題もあった。
【０００５】
本発明は上記の問題に鑑みてなされたものであり、ユーザ端末で撮影した画像から証明写真を簡単に得ることが可能な画像プリントシステム及び写真プリント装置を提供することを目的とする。
【課題を解決するための手段】
【０００６】
前述した課題を解決するための第１の発明は、撮影室内の被写体を撮影し、写真としてプリントする写真プリント装置と、ユーザ端末と、サーバとがネットワークを介して通信接続された画像プリントシステムであって、前記ユーザ端末は、画像を前記サーバに送信する送信手段を備え、前記サーバは、前記ユーザ端末から送信された前記画像を受信する受信手段と、受信した画像を記憶する記憶手段と、前記写真プリント装置からの要求に応じて前記記憶手段に記憶された画像を要求元の写真プリント装置に送信する送信手段と、を備え、前記写真プリント装置は、ネットワークを介して前記サーバに通信接続し、画像をダウンロードする通信手段と、ダウンロードされた画像から証明写真を生成する証明写真生成手段と、前記証明写真生成手段により生成された証明写真をプリントする印刷手段と、を備えることを特徴とする画像プリントシステムである。
【０００７】
本発明の画像プリントシステムでは、ユーザ端末から画像をサーバに送信すると、サーバはユーザ端末から送信された画像を受信して記憶手段に記憶する。写真プリント装置は、ネットワークを介してサーバに通信接続し、記憶手段に記憶された画像をダウンロードし、ダウンロードした画像から証明写真を生成し、プリントすることができる。これにより、例えば、乳児や幼児のように、写真プリント装置に自分で座って撮影することができなかったり、証明写真に適した表情を即座に作ることが難しかったりする場合でも、家庭等で落ち着いて撮影した画像から証明写真を生成して出力することが簡単にできるようになる。また、サーバ側で画像処理を行うのではなく、写真プリント装置が証明写真を生成する処理を行うため、サーバの負担が大きくなるという問題を回避することができる。
【０００８】
また、前記証明写真生成手段は、前記ダウンロードされた画像に含まれる顔の位置及びサイズが予め定められた所定の位置及びサイズとなるように調整することが望ましい。これにより、顔の位置及びサイズが適切な証明写真をダウンロードした画像から作成することが可能となる。
【０００９】
また、前記証明写真生成手段は、前記ダウンロードされた画像から顔として切り出す範囲をユーザが指定するための操作手段を更に備えることが望ましい。画像から顔として切出す範囲をユーザが指定できるため、顔領域の誤認識を防ぎ、正確に顔領域を設定できる。
【００１０】
また、前記写真プリント装置は、証明写真の種類の選択を受け付ける選択手段と、少なくとも前記証明写真のサイズ、顔のサイズ、及び顔の位置に関する情報を定義した設定情報を証明写真の種類毎に記憶する設定情報記憶手段と、を備え、前記証明写真生成手段は、前記選択手段によりユーザが選択した種類に応じた前記設定情報に従って、前記ダウンロードされた画像のトリミング、拡大、縮小を行うことが望ましい。これにより、種類に応じた証明写真をダウンロードした画像から作成することが可能となる。
【００１１】
また、前記写真プリント装置は、前記ダウンロードされた画像の肌の色を調整する肌色調整手段を更に備えることが望ましい。これにより、証明写真に相応しい画質に調整された証明写真を提供することが可能となる。
【００１２】
また、前記写真プリント装置は、前記ダウンロードされた画像について、背景の合成処理を行う背景合成手段を更に備えることが望ましい。これにより、適切な背景で証明写真を提供することが可能となる。
【００１３】
第２の発明は、撮影室内の被写体を撮影し、写真としてプリントする写真プリント装置であって、ネットワークを介して通信接続されたサーバから画像をダウンロードする通信手段と、ダウンロードされた画像から証明写真を生成する証明写真生成手段と、前記証明写真生成手段により生成された証明写真をプリントする印刷手段と、を備えることを特徴とする写真プリント装置である。
【００１４】
第２の発明の写真プリント装置は、ネットワークを介してサーバに通信接続し、記憶手段に記憶された画像をダウンロードし、ダウンロードした画像から証明写真を生成し、プリントすることができる。これにより、例えば、乳児や幼児のように、写真プリント装置に自分で座って撮影することができなかったり、証明写真に適した表情を即座に作ることが難しかったりする場合でも、家庭等で落ち着いて撮影した画像から証明写真を生成して出力することが簡単にできるようになる。また、サーバ側で画像処理を行うのではなく、写真プリント装置が証明写真を生成する処理を行うため、サーバの負担が大きくなるという問題を回避することができる。
【発明の効果】
【００１５】
本発明により、ユーザ端末で撮影した画像から証明写真を簡単に得ることが可能な画像プリントシステム及び写真プリント装置を提供することが可能となる。
【図面の簡単な説明】
【００１６】
【図１】画像プリントシステム１を示す図
【図２】写真プリント装置２の外観を示す図
【図３】写真プリント装置２の構成を示す図
【図４】制御装置２０のハードウェア構成を示す図
【図５】サーバ３のハードウェア構成を示す図
【図６】ユーザ端末５のハードウェア構成を示す図
【図７】画像プリントシステム１における画像アップロード処理の流れを示す図
【図８】画像プリントシステム１における証明写真プリント処理の流れを示す図
【図９】コード入力画面７１の例を示す図
【図１０】写真プリント装置２が実行する証明写真生成処理の流れを示すフローチャート
【図１１】写真種類選択画面７２の例を示す図
【図１２】顔領域指定画面７３の例を示す図
【図１３】顔中央指定画面７４の例を示す図
【図１４】設定情報４１の一例
【図１５】顔位置・サイズ算出処理を説明する図
【発明を実施するための形態】
【００１７】
以下、図面に基づいて本発明の好適な実施形態について詳細に説明する。
【００１８】
図１は本発明の実施形態に係る画像プリントシステム１を示す図である。図１に示すように、本実施形態の画像プリントシステム１は、写真プリント装置２、サーバ３、及びユーザ端末５がネットワーク６を介して通信可能に接続された構成を有する。
【００１９】
写真プリント装置２はユーザが自身の撮影を行うものであり、例えば街頭に設置された証明写真の撮影ボックスである。写真プリント装置２は撮影室内の被写体（ユーザ）を撮影してその画像を証明写真としてプリントする機能（写真撮影サービス）に加え、ユーザ端末５からサーバ３に送信されたユーザの画像をダウンロードしてプリントする機能（画像プリントサービス）を有する。
【００２０】
図２は写真プリント装置２の外観を示す図であり、図３は写真プリント装置２の構成を示す図である。
【００２１】
写真プリント装置２はユーザが中に入って撮影を行うボックス状の外観を有し、制御装置２０、表示部２１、課金部２２、撮影部２３、照明２４、プリンタ２５、プリント物取出口２６、カーテン２８、センサ２９等を有する。
【００２２】
制御装置２０は写真プリント装置２の内部に設けられ、写真プリント装置２の処理全体を制御する。
【００２３】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２４】
制御部２０１はＣＰＵ（Central Processing Unit）、ＲＯＭ（Read Only Memory）、ＲＡＭ（Random Access Memory）等から構成される。ＣＰＵは、記憶部２０２、ＲＯＭ等の記憶媒体に格納された制御装置２０の処理に係るプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２０２、ＲＯＭ等からロードしたプログラムやデータを一時的に保持するとともに、制御部２０１が各種処理を行うために使用するワークエリアを備える。
【００２５】
記憶部２０２はハードディスクドライブやソリッドステートドライブ、フラッシュメモリ等であり、後述する処理に際し制御装置２０が実行するプログラム、プログラム実行に必要なデータ、ＯＳ等が格納される。これらのプログラムやデータは、制御部２０１により必要に応じて読み出され実行される。
【００２６】
入力部２０３は制御装置２０に各種の設定入力を行うものである。
通信部２０４はネットワーク６等を介した通信を媒介する通信インタフェースであり、サーバ３等との間でデータの送受信を行う。
【００２７】
図２、３の説明に戻る。表示部２１は、写真プリント装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００２８】
課金部２２は、硬貨や紙幣の投入口、つり銭返却口、レシート取出口、レシートプリンタ等（不図示）を備え、ユーザからの課金やレシートの発行を管理する。
【００２９】
撮影部２３は、撮影窓の内側にカメラ等を設けたものである。カメラには例えば高解像度のデジタルカメラが用いられるが、これに限ることはない。
【００３０】
照明２４は、ユーザを含む写真プリント装置２内の全体を照らす照明である。照明２４は例えば白色の光を照射する面光源であり、撮影部２３の上部に設けられるが、これに限ることはない。なお、写真プリント装置２内には撮影時のフラッシュ用にストロボ光源も設けられる。
【００３１】
プリンタ２５は、画像をプリントするものであり、写真プリント装置２の内部に設けられる。画像をプリントしたプリント物はプリント物取出口２６から排出される。プリンタ２５の方式や設置台数等は特に問わない。
【００３２】
カーテン２８は、写真プリント装置２の内部を外部から遮るものである。
【００３３】
センサ２９は、写真プリント装置２の撮影室内に入ったユーザを検知するセンサである。センサ２９は例えば赤外線センサであるが、これに限ることはない。
【００３４】
図１の説明に戻る。サーバ３は、写真プリント装置２でプリントする画像を管理するサーバである。
【００３５】
図５は、サーバ３のハードウェア構成を示す図である。図５に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３６】
制御部３１、記憶部３２、入力部３４、通信部３５の機能は前記した制御部２０１、記憶部２０２、入力部２０３、通信部２０４と略同様である。また表示部３３は液晶パネル等のディスプレイ装置を有する。
【００３７】
なお、記憶部３２には後述する処理をサーバ３に実行させるためのプログラムが格納される。また入力部３４はキーボード、マウス等のポインティングデバイス、テンキー等の入力装置を有する。
【００３８】
図１の説明に戻る。ユーザ端末５はユーザが所持するコンピュータ端末であり、例えばスマートフォン等の携帯端末を用いることができる。
【００３９】
図６はユーザ端末５のハードウェア構成を示す図である。図６に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４０】
制御部５１、記憶部５２、入力部５４、通信部５５の機能は前記した制御部２０１、記憶部２０２、入力部２０３、通信部２０４と略同様である。また表示部５３は液晶パネル等のディスプレイ装置を有し、入力部５４としてのタッチパネルが設けられている。音声入出力部５７はマイクやスピーカー等である。
【００４１】
なお、記憶部５２には専用のアプリケーションプログラムが格納されており、これにより後述する処理をユーザ端末５によって実行させる。
【００４２】
次に、本実施形態の画像プリントシステム１が実行する処理の流れについて説明する。図７は、ユーザ端末５とサーバ３との間で行われる画像アップロード処理の手順を示すフローチャートである。
【００４３】
画像アップロード処理において、まず、ユーザが自身のユーザ端末５でアプリケーションを立ち上げ、表示部５３に表示される選択画面（不図示）上で記憶部５２に格納された画像の中からプリントする画像を選択し（ステップＳ１０１）、サーバ３への送信（アップロード）指示を行う。ユーザ端末５は、選択された画像をサーバ３へ送信（アップロード）する（ステップＳ１０２）。
【００４４】
なお、ユーザ端末５では、ユーザの操作に応じて画像の編集を行い、編集後の画像を選択してサーバ３に送信することが可能である。画像の編集は、例えば画像のサイズ、明るさ、色の調整、画像への所定の絵柄の付加、画像への描画、複数の画像のレイアウト配置等であるが、これに限ることはない。
【００４５】
サーバ３は、ユーザ端末５から画像等を受信する（ステップＳ１０３）と、画像をプリントするための複数桁の数字や文字等からなるパスコードを発行し、ユーザ端末５に送信する（ステップＳ１０４）。パスコードは、プリントする画像（及びそのプリント枚数）を識別する識別情報である。また、サーバ３は、ステップＳ１０４で発行したパスコードとステップＳ１０３で受信した画像とを紐付けて記憶部３２に記録する（ステップＳ１０５）。ユーザは、ユーザ端末５にてパスコードを受信する（ステップＳ１０６）。
【００４６】
次に、写真プリント装置２とサーバ３との間で行われる証明写真プリント処理について説明する。図８は証明写真プリント処理の手順を示すフローチャートである。
【００４７】
ユーザは、街頭の写真プリント装置２に向かい、写真プリント装置２の中に入る。すると、写真プリント装置２はセンサ２９によってユーザを検知して（ステップＳ２０１）、写真プリント装置２内を照らす照明２４を点灯する。
【００４８】
また写真プリント装置２は、ユーザの入室を検知すると、表示部２１にトップ画面（不図示）を表示させる（ステップＳ２０２）。トップ画面では、写真撮影サービスへ移行するか、画像ダウンロードサービスへ移行するかを選択するための選択ボタンが表示される。ユーザが選択ボタンをタッチすることで、いずれかのサービスへ移行することが可能である。写真撮影サービスへの移行を選択するための選択ボタンをユーザがタッチした場合は（ステップＳ２０３；Ｙｅｓ）、写真撮影サービスへ移行する（ステップＳ２０４）。画像ダウンロードサービスへ移行するための選択ボタンがユーザによりタッチされると（ステップＳ２０３；Ｎｏ）、画像ダウンロードサービスへ移行する（ステップＳ２０５〜ステップＳ２１１）。
【００４９】
画像ダウンロードサービスにおいて、写真プリント装置２は、まず表示部２１に課金を促すメッセージを表示させる。ユーザは画像を確認し、課金部２２にて課金を行う。課金は現金のほか電子マネーによって行うこともでき、ユーザの滞在時間を減らすため、写真プリントサービスを行う場合電子マネーのみの使用とすることも可能である。
【００５０】
写真プリント装置２は、課金を受付けると（ステップＳ２０５）、ユーザ端末５の表示部５３にコード入力画面７１（図９）を表示させる（ステップＳ２０６）。
【００５１】
コード入力画面７１には、図９に示すように、ダウンロードする画像を指定するためのパスコードを入力するコード入力欄７１ａと、コード入力欄７１ａに数字を入力するソフトキーボード７１ｂと、前の画面（トップ画面）に戻る際に操作される「戻る」ボタン７１ｃと、次の処理へ進む際に操作される「ＯＫ」ボタン７１ｄとが設けられている。
【００５２】
コード入力画面７１のコード入力欄７１ａに対して、画像をダウンロードするためのパスコードがユーザにより入力されると、写真プリント装置２は、サーバ３に対して入力されたパスコード及び画像ダウンロード要求を送信する（ステップＳ２０７）。
【００５３】
なお、パスコードを入力する方法は、コード入力画面７１に対してユーザの操作によって数値（パスコード）を入力する例に限定されない。例えば、写真プリント装置２にコード読取機能（コードリーダ）を設け、ユーザ端末５の表示部５３に表示された、パスコードを示す２次元コード等をかざすことでパスコードを読み取らせるものとしてもよい。
【００５４】
サーバ３は、画像ダウンロード要求及びパスコードを受信すると、パスコードに紐づけて記憶されている画像を記憶部３２から読み出し、写真プリント装置２に送信する（ステップＳ２０８）。
【００５５】
写真プリント装置２は、サーバ３から画像を受信（ダウンロード）すると（ステップＳ２０９）、証明写真生成処理を実行する（ステップＳ２１０）。
【００５６】
ステップＳ２１０の証明写真生成処理について、図１０を参照して説明する。
【００５７】
証明写真生成処理において、写真プリント装置２は、まず証明写真のサイズと割付のレイアウトの選択を受け付ける（ステップＳ３０１）。このとき写真プリント装置２は、表示部２１に写真種類選択画面７２（図１１）を表示させる。
【００５８】
写真種類選択画面７２では、写真の種類（用途やサイズ）が選択可能に表示される。用途は、例えば、履歴書用、免許証用、パスポート用等である。サイズは、中型、大型、または任意指定等である。図１１に示すように、写真種類選択画面７２には、証明写真の種類毎に写真のサイズ、割付等を表すサンプル画像７２ａ、７２ｂ、７２ｃ、７２ｄ、…が表示される。ユーザがいずれかのサンプル画像７２ａ、７２ｂ、７２ｃ、７２ｄ、…をタッチすることで所望のサイズまたは用途に適した証明写真が生成される。
【００５９】
写真種類選択画面７２において証明写真の種類（用途やサイズ）が選択されると（ステップＳ３０１）、写真プリント装置２は、画像内の顔領域（切出し位置）を指定する操作を受け付ける(ステップＳ３０２）。ステップＳ３０２において、写真プリント装置２は、まず表示部２１に顔領域指定画面７３（図１２）を表示し、ステップＳ２０９で受信したダウンロード画像における顔領域の指定操作を受け付ける。
【００６０】
顔領域指定画面７３には、図１２に示すように、ダウンロード画像７３ａ内の顔（頭）の先端位置を指定する頭ライン７３ｂとあごの先端位置を指定するあごライン７３ｂとが表示される。なお、頭ライン７３ｂとあごライン７３ｂは、制御部２０１が画像を解析することにより、頭の先端位置及びあごの先端位置を認識して表示するようにしてもよい。正確に頭の先端位置とあごの先端位置が認識されている場合には、ユーザによる指定（調整）は不要となる。
【００６１】
顔領域指定画面７３には、頭ライン７３ｂを上方向に移動させる上ボタン７３ｄと、下方向に移動させる下ボタン７３ｅ、及び、あごライン７３ｃを上方向に移動させる上ボタン７３ｆと下方向に移動させる下ボタン７３ｇが設けられる。更に、頭ライン７３ｂ及びあごライン７３ｃの正しい合わせ方を示すサンプル画像７３ｉを表示するようにしてもよい。ユーザは、顔領域指定画面７３において、上下ボタン７３ｄ〜７３ｇを操作しながら頭ライン７３ｂとあごライン７３ｃとを移動させることにより、頭の先端位置とあごの先端位置を指定する。頭ライン７３ｂとあごライン７３ｃとの間の領域が、顔領域の上下方向の切り出し位置となる。
【００６２】
顔領域が指定され、決定ボタン７３ｈがタッチされると、次に写真プリント装置２は、顔中央指定画面７４（図１３）を表示部２１に表示し、顔の中心位置の指定を受け付ける。
【００６３】
顔中央指定画面７４は、図１３に示すように、ダウンロード画像７４ａ内に顔の左右方向中央位置を指定する中央ライン７４ｂが表示される。また、中央ライン７４ｂを左方向に移動させる左ボタン７４ｃと、右方向に移動させる右ボタン７４ｄが設けられる。中央ライン７４ｂの正しい合わせ方を示すサンプル画像７４ｆを表示するようにしてもよい。ユーザは、顔中央指定画面７４において、左ボタン７４ｃ及び右ボタン７４ｄを操作しながら中央ライン７４ｂを左右に移動させることにより、顔の左右方向の中央位置を指定する。
【００６４】
顔の左右方向の中央位置が指定され、決定ボタン７４ｅがタッチされると、次に写真プリント装置２は、図１０のステップＳ３０２の操作により切り出した顔領域が証明写真内の所定の位置及びサイズとなるように画像処理（トリミング、拡大、縮小等）を行う（ステップＳ３０３）。ステップＳ３０３における画像処理については後述する。
【００６５】
顔領域が証明写真内の所定の位置・サイズとなるように画像処理が行われると、次に、写真プリント装置２は、肌の色等の画質を調整する処理（ステップＳ３０４）や、クロマキーによる背景合成処理（ステップＳ３０５）等を実行する。なお、ステップＳ３０４及びステップＳ３０５の処理は、ユーザが所望する場合に行うものとしてもよい。
【００６６】
写真プリント装置２は、ステップＳ３０２〜ステップＳ３０３で生成した証明写真画像をステップＳ３０１で選択したレイアウトで割付け、プリンタに出力する（ステップＳ３０６）。
【００６７】
写真プリント装置２は、写真生成処理において生成された証明写真画像をプリンタにより印刷（プリント）し（図８のステップＳ２１１）、一連の写真プリント処理を終了する。
【００６８】
ステップＳ３０３の画像処理について図１４、図１５を参照して説明する。
図１４は、写真プリント装置２の制御装置２０の記憶部２０２に記憶されている設定情報４１の一例を示す図である。設定情報４１は、証明写真の種類（用途やサイズ）毎に予め用意され、記憶部２０２に記憶されている。図１４に示すように、設定情報４１には、トリミング領域横幅（PicWidth）、トリミング縦幅（PicHeight）、頭上の余白の割合（FACE_OFFSET）、及び顔のサイズの割合（FACE_SIZE）の値が指定されている。図１４に示すように、トリミング領域横幅（PicWidth）とは、証明写真の横の長さの値であり、トリミング縦幅（PicHeight）とは、証明写真の縦の長さの値である。また、頭上の余白の割合（FACE_OFFSET）とは、証明写真の縦の長さに対する頭上の余白の割合を示し、顔のサイズの割合（FACE_SIZE）とは、証明写真の縦の長さに対する顔領域のサイズの割合を示している。
【００６９】
ステップＳ３０２の操作により、図１５（ａ）に示すように、ダウンロード画像５０から頭の先端位置５０ａ、顎の先端位置５０ｂが指定され、また顔の中央位置５０ｃが指定されると、写真プリント装置２の制御装置２０は、ステップＳ３０１で選択された写真種類に応じた設定情報４１を記憶部２０２から読み出す。そして、制御装置２０は、ダウンロード画像５０における顔領域の実サイズ（頭の先端位置５０ａから顎の先端位置５０ｂまでの長さ）と設定情報４１とに基づいて、ダウンロード画像５０のトリミング実位置を算出する。
【００７０】
図１５（ｂ）はトリミング実位置の算出例である。例えば、顔領域の実サイズが３００[ピクセル]、証明写真の顔のサイズの割合（FACE_SIZE）が３５０の場合、証明写真のトリミング縦幅（PicHeight）を４５０[mm]とするので、ダウンロード画像５０から切り出す縦幅（切出し縦幅）は、４５０×３００／３５０≒３８５[ピクセル]である。
また、頭上の余白の割合が５０であるので、ダウンロード画像５０の頭上の余白のサイズは、５０×３００／３５０≒４３[ピクセル]となる。
顎下の長さは、３８５（切出し縦幅）−３００（顔領域の実サイズ）−４３（頭上の余白のサイズ）≒４２[ピクセル]である。
また、証明写真のトリミング領域横幅（PicWidth）は３５０[mm]とするので、ダウンロード画像５０から切り出す横幅（切出し横幅）は、３８５×３００／３５０≒３３０[ピクセル]である。
【００７１】
上述したように、ダウンロード画像５０のトリミング実位置を算出すると、制御装置２０は、顔の中央位置５０ｃがトリミング領域横幅の中央となるようにダウンロード画像５０をトリミングする。そして、トリミングしたダウンロード画像５０が証明写真のサイズ（４５０[mm]×３５０[mm]）となるように拡大（または縮小）する。これにより、図１５（ｃ）に示すような縦４５０[mm]×横３５０[mm]の証明写真画像を得る。
【００７２】
このようにして、生成された証明写真画像が、選択されたレイアウトで割り付けられて用紙にプリントされる。
以上のようにして、写真プリント装置２は、ダウンロード画像５０から証明写真を生成し、プリントすることが可能となる。
【００７３】
なお、写真撮影サービスのみを実施する場合には、図８のステップＳ２０５〜ステップＳ２１０の処理は不要であり、写真プリント装置２は、ユーザの操作に応じて撮影室内のユーザの撮影を行い、撮影画像から証明写真を生成してプリントする。
【００７４】
以上説明したように、本実施形態の画像プリントシステム１は、ユーザ端末５からサーバ３にアップロードした画像を写真プリント装置２でダウンロードし、ダウンロードした画像から写真の種類に応じた証明写真を生成してプリントすることができる。これにより、例えば、乳児や幼児のように、写真プリント装置２に自分で座って撮影することができなかったり、証明写真に適した表情を即座に作ることが難しかったりする場合でも、家庭等で落ち着いて撮影した画像から証明写真を生成して出力することが簡単にできるようになる。
【００７５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７６】
１：画像プリントシステム
２：写真プリント装置
３：サーバ
５：ユーザ端末
６：ネットワーク
２０：制御装置
２１：表示部
２２：課金部
２３：撮影部
２４：照明
２５：プリンタ
２６：プリント物取出口
２８：カーテン
２９：センサ
４１：設定情報
５０、７３ａ、７４ａ：ダウンロード画像
７１：コード入力画面
７２：写真種類選択画面
７３：顔領域指定画面
７４：顔中央指定画面
【図１】
2019139496.tif 000003
【図２】
2019139496.tif 000004
【図３】
2019139496.tif 000005
【図４】
2019139496.tif 000006
【図５】
2019139496.tif 000007
【図６】
2019139496.tif 000008
【図７】
2019139496.tif 000009
【図８】
2019139496.tif 000010
【図９】
2019139496.tif 000011
【図１０】
2019139496.tif 000012
【図１１】
2019139496.tif 000013
【図１２】
2019139496.tif 000014
【図１３】
2019139496.tif 000015
【図１４】
2019139496.tif 000016
【図１５】
2019139496.tif 000017